(57)【特許請求の範囲】
【請求項１】
筒状に形成された器具本体と、光源と、蓄電池と、前記蓄電池を充電および放電可能な電源装置とを備え、
前記電源装置は、外部電源の停電時に、前記蓄電池を電源として前記光源を点灯させるように構成され、
前記電源装置は、充電回路および放電回路を構成する複数の電子部品が実装された基板と、前記外部電源の停電状態を疑似的に発生させ前記蓄電池の充電状態を点検する点検スイッチと、前記点検スイッチを操作する操作部とを備え、
前記基板は、前記器具本体内において、前記基板の実装面の法線が前記器具本体の中心軸と交差するように配置され、
前記点検スイッチは、第１点検スイッチと、第２点検スイッチとを備え、前記第１点検スイッチおよび前記第２点検スイッチの各々は、前記基板の実装面において、前記器具本体の中心軸に沿った方向に並び、かつ、前記第１点検スイッチおよび前記第２点検スイッチの操作方向を合わせるように実装され、
前記操作部は、前記第１点検スイッチを操作する第１操作部と、前記第２点検スイッチを操作する第２操作部とを備え、前記第１操作部および前記第２操作部の各々は、前記第１点検スイッチおよび前記第２点検スイッチを操作する側から見て手前側に配置された前記第１点検スイッチもしくは前記第２点検スイッチの周囲を囲むように構成され、かつ、前記器具本体の中心軸に沿って各別に変位するように構成されている
ことを特徴とする非常用照明器具。
【請求項２】
前記基板の実装面には、ホルダが実装され、
前記ホルダは、前記第１操作部および前記第２操作部の各々が前記器具本体の中心軸に沿って各別に変位するように前記第１操作部および前記第２操作部を保持する
ことを特徴とする請求項１記載の非常用照明器具。
【請求項３】
前記ホルダには、前記第１操作部および前記第２操作部の変位量を規制するストッパが設けられている
ことを特徴とする請求項２記載の非常用照明器具。
【請求項４】
前記第１操作部および前記第２操作部の各々は、前記ホルダと接触する部位が、前記ホルダに向かって凸となる曲面に形成されている
ことを特徴とする請求項２または請求項３記載の非常用照明器具。
【発明の詳細な説明】
【技術分野】
【０００１】
本発明は、一般に、非常用照明器具に関し、より詳細には、外部電源の停電時に蓄電池を電源として光源を点灯させる非常用照明器具に関する。
【背景技術】
【０００２】
従来、外部電源の停電時に蓄電池を電源として光源を点灯させる照明装置が知られている（例えば、特許文献１）。
【０００３】
特許文献１に記載された照明装置は、一端部に開口部を有する円筒状の器具本体と、器具本体の開口部を閉塞する枠部材と、光源と、バッテリ（以下、「蓄電池」）と、蓄電池により光源を点灯させる点灯ユニットとを備えている。器具本体の内部には、蓄電池と点灯ユニットとが収納されている。
【０００４】
点灯ユニットの一部である点灯ユニット基板の実装面には、法令等で定められた点検を実施する際に用いられる点検スイッチが実装されている。点検スイッチには、この点検スイッチの操作部として引き紐が設けられている。引き紐は、枠部材に設けられた点検スイッチ用孔部から引き出されている。
【先行技術文献】
【特許文献】
【０００５】
【特許文献１】２０１２−８４３２４号公報
【発明の概要】
【発明が解決しようとする課題】
【０００６】
特許文献１に記載された照明装置（以下、「従来例の非常用照明器具」）では、点灯ユニット基板の実装面に点検スイッチが実装され、かつ、点検スイッチに引き紐が設けられている。よって、従来例の非常用照明器具では、例えば、蓄電池の充電状態を点検することが可能となる。
【０００７】
しかしながら、従来例の非常用照明器具では、点検機能を追加するとき、別の点検スイッチが必要となり、点灯ユニット基板の平面サイズが大きくなる可能性がある。そのため、従来例の非常用照明器具では、点検機能を追加するとき、器具本体の径寸法が大きくなる可能性があり、器具本体の大型化を招く恐れがある。
【０００８】
本発明の目的は、点検機能を追加しながらも、器具本体の大型化を抑制可能な非常用照明器具を提供することにある。
【課題を解決するための手段】
【０００９】
本発明の非常用照明器具は、筒状に形成された器具本体と、光源と、蓄電池と、前記蓄電池を充電および放電可能な電源装置とを備えている。前記電源装置は、外部電源の停電時に、前記蓄電池を電源として前記光源を点灯させるように構成されている。前記電源装置は、充電回路および放電回路を構成する複数の電子部品が実装された基板と、前記外部電源の停電状態を疑似的に発生させ前記蓄電池の充電状態を点検する点検スイッチと、前記点検スイッチを操作する操作部とを備えている。前記基板は、前記器具本体内において、前記基板の実装面の法線が前記器具本体の中心軸と交差するように配置されている。前記点検スイッチは、第１点検スイッチと、第２点検スイッチとを備えている。前記第１点検スイッチおよび前記第２点検スイッチの各々は、前記基板の実装面において、前記器具本体の中心軸に沿った方向に並び、かつ、前記第１点検スイッチおよび前記第２点検スイッチの操作方向を合わせるように実装されている。前記操作部は、前記第１点検スイッチを操作する第１操作部と、前記第２点検スイッチを操作する第２操作部とを備えている。前記第１操作部および前記第２操作部の各々は、前記第１点検スイッチおよび前記第２点検スイッチを操作する側から見て手前側に配置された前記第１点検スイッチもしくは前記第２点検スイッチの周囲を囲むように構成され、かつ、前記器具本体の中心軸に沿って各別に変位するように構成されている。
【発明の効果】
【００１０】
本発明の非常用照明器具においては、点検機能を追加しながらも、器具本体の大型化を抑制することが可能となる。
【図面の簡単な説明】
【００１１】
【図１】一実施形態の非常用照明器具において一部破断された分解斜視図である。
【図２】一実施形態の非常用照明器具の施工状態を示す斜視図である。
【図３】一実施形態の非常用照明器具に関し、一部破断された基板に実装された点検スイッチ、ホルダ、表示部および受信部を示す斜視図である。
【図４】一実施形態の非常用照明器具に関し、一部破断された基板に実装された第１点検スイッチ、第２点検スイッチおよびホルダと、第１操作部および第２操作部との関係を示す斜視図である。
【図５】一実施形態の非常用照明器具に関し、ホルダと第１操作部と第２操作部とを示す分解斜視図である。
【図６】一実施形態の非常用照明器具に関し、一部破断された基板に実装されたホルダを示す斜視図である。
【図７】一実施形態の非常用照明器具に関し、器具本体を構成するベースと、ベースに取り付けられるカバーとを示す斜視図である。
【発明を実施するための形態】
【００１２】
以下では、一実施形態の非常用照明器具１０について、図１〜図７を参照しながら説明する。
【００１３】
非常用照明器具１０は、外部電源（図示せず）から給電されるように構成されている。外部電源は、例えば、商用電源である。また、非常用照明器具１０は、天井材９０（図２参照）に設置されるように構成されている。具体的に説明すると、非常用照明器具１０は、天井材９０に予め形成された孔９１に、埋め込み配置されるように構成されている。
【００１４】
非常用照明器具１０は、器具本体１と、光源３と、非常用電源５と、電源装置６と、端子台１２とを備えている。
【００１５】
器具本体１は、例えば、有底筒状に形成されている。器具本体１は、ケース１１と、ベース１３とを備えている。
【００１６】
ケース１１は、例えば、１枚の板材（以下、「第１板材」）により筒状に形成されている。第１板材は、例えば、不燃材料により構成されている。不燃材料としては、例えば、アルミニウムが挙げられる。ケース１１は、例えば、第１板材にロール加工等を施すことによって形成されている。
【００１７】
ベース１３は、例えば、円柱状に形成されている。ベース１３は、例えば、不燃材料により形成されている。不燃材料としては、例えば、ＳＧＣＣ（溶融亜鉛めっき鋼板）、アルミニウムなどが挙げられる。
【００１８】
光源３は、発光部２と、基板１５と、放熱部材１６と、保持部材１８と、レンズ１７とを備えている。光源３は、器具本体１の下端部に配置されている。言い換えれば、光源３は、ベース１３に配置されている。なお、器具本体１の下端部とは、器具本体１において、この器具本体１の中心軸Ａ１に沿った下側の端部を意味する。
【００１９】
発光部２は、例えば、白色光を得るように構成されている。発光部２は、複数のＬＥＤ（図示せず）と、波長変換部１９と、封止部２０とを備えている。
【００２０】
複数のＬＥＤの各々は、例えば、青色ＬＥＤチップである。複数のＬＥＤの接続関係は、例えば、直列接続である。
【００２１】
波長変換部１９は、複数のＬＥＤすべてを覆うように構成されている。波長変換部１９は、例えば、蛍光体粒子と透光性材料との混合体により構成されている。蛍光体粒子は、例えば、黄色蛍光体粒子である。黄色蛍光体粒子は、ＬＥＤから放射された青色光により励起されてブロードな黄色光を放射する。透光性材料は、例えば、シリコーン樹脂である。なお、蛍光体粒子は、黄色蛍光体粒子に限らず、例えば、赤色蛍光体粒子と緑色蛍光体粒子とを組み合わせた蛍光体粒子であってもよい。また、透光性材料は、シリコーン樹脂に限らず、例えば、エポキシ樹脂であってもよい。
【００２２】
封止部２０は、波長変換部１９を覆うように構成されている。また、封止部２０は、透光性を有する封止材料により構成されている。封止材料は、例えば、シリコーン樹脂である。なお、封止材料は、シリコーン樹脂に限らず、例えば、エポキシ樹脂であってもよい。
【００２３】
発光部２は、青色ＬＥＤチップと黄色蛍光体粒子とで、白色光を得るように構成されているが、この構成に限らない。発光部２は、例えば、紫ＬＥＤチップと、赤色蛍光体粒子と緑色蛍光体粒子と青色蛍光体粒子とで、白色光を得るように構成されていてもよい。また、発光部２は、例えば、近紫外ＬＥＤチップと、赤色蛍光体粒子と緑色蛍光体粒子と青色蛍光体粒子とで、白色光を得るように構成されていてもよい。さらに、発光部２は、例えば、赤色ＬＥＤチップと緑色ＬＥＤチップと青色ＬＥＤチップとを組み合わせて、白色光を得るように構成されていてもよい。
【００２４】
基板１５は、例えば、プリント基板である。なお、基板１５は、プリント基板に限らず、例えば、セラミック基板であってもよい。
【００２５】
基板１５の第１面（図１では、下面）には、複数のＬＥＤが実装されている。すなわち、基板１５の第１面には、発光部２が配置されている。また、基板１５の第１面には、一対の端子部（図示せず）が設けられている。以下では、説明の便宜上、一対の端子部を、「一対の第１端子部」と称する。実装とは、電気的な接続を意味する。
【００２６】
一対の第１端子部の各々は、基板１５に予め形成された導体部（図示せず）の一部により構成されている。また、一対の第１端子部の各々は、発光部２と電気的に接続されている。言い換えれば、一対の第１端子部は、直列接続された複数のＬＥＤと電気的に接続されている。具体的に説明すると、一対の第１端子部のうち一方の第１端子部は、直列接続された複数のＬＥＤにおける一端側の端子（図示せず）と電気的に接続されている。また、一対の第１端子部のうち他方の第１端子部は、直列接続された複数のＬＥＤにおける他端側の端子（図示せず）と電気的に接続されている。
【００２７】
放熱部材１６は、発光部２と基板１５とで発生する熱を放熱するように構成されている。放熱部材１６は、例えば、放熱シートである。放熱シートは、熱伝導性を有する。この放熱シートは、電気絶縁性を有するのが好ましい。放熱部材１６は、基板１５の第２面（図１では、上面）に配置されている。
【００２８】
保持部材１８は、基板１５と放熱部材１６とレンズ１７とを保持するように構成されている。保持部材１８は、例えば、一端部に上壁を有する円筒状に形成されている。保持部材１８は、例えば、合成樹脂により形成されている。保持部材１８の上壁の第１面（図１では、上面）には、基板１５と放熱部材１６とが配置されている。保持部材１８の上壁の第２面（図１では、下面）には、レンズ１７が配置されている。保持部材１８の上壁には、発光部２を露出させる孔３２が形成されている。
【００２９】
レンズ１７は、発光部２から放射された白色光を配光制御するように構成されている。レンズ１７は、例えば、ガラスにより形成されている。レンズ１７は、発光部２を覆うように配置されている。なお、レンズ１７は、ガラスにより形成されているが、これに限らず、例えば、シリコーン樹脂、アクリル樹脂により形成されていてもよい。
【００３０】
なお、複数のＬＥＤの接続関係は、直列接続に限らず、例えば、並列接続であってもよい。また、複数のＬＥＤの接続関係は、例えば、直列接続と並列接続とを組み合わせた接続であってもよい。ＬＥＤの数は、複数であるが、１つであってもよい。
【００３１】
非常用電源５は、本体部２１と、複数（例えば、２つ）の蓄電池４と、第１接続部２２とを備えている。非常用電源５は、器具本体１内に収納されている。
【００３２】
本体部２１は、複数の蓄電池４を収納するように構成されている。本体部２１は、例えば、合成樹脂により中空柱状に形成されている。
【００３３】
本体部２１の下端部は、器具本体１の下端部に配置されている。また、本体部２１の下端部は、器具本体１の下端部において、光源３と隣同士並んで配置されている。本体部２１の上端部は、器具本体１内に配置されている。
【００３４】
複数の蓄電池４は、本体部２１内に収納されている。複数の蓄電池４は、例えば、本体部２１内において、器具本体１の中心軸Ａ１に沿った方向に並べて配置されている。複数の蓄電池４の電気的な接続関係は、例えば、直列接続である。なお、複数の蓄電池４は、本体部２１内において、器具本体１の中心軸Ａ１に沿った方向に並べて配置されているが、この配置を特に限定するものではない。
【００３５】
第１接続部２２は、非常用電源５と電源装置６とを機械的に接続するように構成されている。第１接続部２２は、本体部２１の上端部に設けられている。第１接続部２２は、例えば、合成樹脂により形成されている。また、第１接続部２２は、本体部２１と一体に形成されている。
【００３６】
第１接続部２２は、一対の第１接続片（図示せず）を備えている。一対の第１接続片の各々は、例えば、金属により形成されている。一対の第１接続片の各々は、直列接続された複数の蓄電池４と電源装置６とを電気的に接続するように構成されている。
【００３７】
一対の第１接続片は、直列接続された複数の蓄電池４と電気的に接続されている。具体的に説明すると、一対の第１接続片のうち一方の第１接続片は、直列接続された複数の蓄電池４における一端側のプラス端子（図示せず）と電気的に接続されている。また、一対の第１接続片のうち他方の第１接続片は、直列接続された複数の蓄電池４における他端側のマイナス端子（図示せず）と電気的に接続されている。なお、以下では、説明の便宜上、直列接続された複数の蓄電池４を、単に「複数の蓄電池４」と称する。
【００３８】
電源装置６は、複数の蓄電池４を充電および放電可能に構成されている。電源装置６は、充電回路および放電回路を構成する複数の電子部品が実装された基板２３と、基板２３を収納するボックス５０とを備えている。電源装置６は、器具本体１内において光源３の上側に配置されている。また、電源装置６は、非常用電源５と対向するように配置されている。
【００３９】
基板２３は、例えば、プリント基板である。基板２３は、例えば、矩形板状に形成されている。複数の電子部品は、例えば、基板２３の実装面（図１では、右面）に配置されている。基板２３は、器具本体１内において、基板２３の実装面の法線が器具本体１の中心軸Ａ１と交差するように配置されている。この基板２３は、器具本体１内において、基板２３の実装面の法線が器具本体１の中心軸Ａ１と直交するように配置されていることが好ましい。
【００４０】
ボックス５０は、例えば、合成樹脂により中空柱状に形成されている。合成樹脂としては、例えば、ＰＰ（polypropylene）などが挙げられる。
【００４１】
充電回路は、複数の蓄電池４を充電するように構成されている。具体的に説明すると、充電回路は、外部電源の交流電圧を所定の直流電圧に変換するように構成されている。また、充電回路は、上記所定の直流電圧を、複数の蓄電池４に供給するように構成されている。これにより、充電回路は、複数の蓄電池４を充電することが可能となる。
【００４２】
放電回路は、複数の蓄電池４を放電するように構成されている。具体的に説明すると、放電回路は、複数の蓄電池４に予め充電された直流電圧を、光源３に供給するように構成されている。これにより、放電回路は、発光部２を発光させることが可能となる。
【００４３】
電源装置６は、外部電源からの給電時に、複数の蓄電池４を充電するように構成されている。電源装置６は、外部電源の停電時に、複数の蓄電池４を放電するように構成されている。また、電源装置６は、外部電源の停電時に、非常用電源５を電源として発光部２を発光させるように構成されている。要するに、電源装置６は、外部電源の停電時に、複数の蓄電池４を電源として光源３を点灯させるように構成されている。これにより、非常用照明器具１０は、例えば、外部電源の停電時などの非常時に、光源３を点灯させることが可能となる。
【００４４】
基板２３の実装面には、一対の第２端子部（図示せず）が設けられている。一対の第２端子部の各々は、基板２３に予め形成された導体部（図示せず）の一部により構成されている。また、一対の第２端子部の各々は、放電回路と電気的に接続されている。一対の第２端子部は、例えば、一対の第１電源線（図示せず）を介して、上記一対の第１端子部と電気的にそれぞれ接続されている。
【００４５】
また、基板２３の実装面には、コネクタ９が実装されている。コネクタ９は、例えば、一対の第２電源線（図示せず）を介して、端子台１２と電気的に接続されている。
【００４６】
電源装置６は、複数の蓄電池４の充電状態を点検するように構成されている。電源装置６は、点検装置と、操作部３６と、ホルダ５８（図３および図４参照）と、表示部３７と、受信部５９とを備えている。なお、図１では、ホルダ５８の図示を省略している。また、複数の蓄電池４の充電状態とは、複数の蓄電池４の充電レベルを意味する。
【００４７】
点検装置は、外部電源の停電状態を疑似的に発生させ複数の蓄電池４の充電状態を点検するように構成されている。点検装置は、例えば、点検回路（図示せず）と、点検スイッチ３５と、点灯回路（図示せず）とを備えている。要するに、点検スイッチ３５は、外部電源の停電状態を疑似的に発生させ複数の蓄電池４の充電状態を点検するように構成されている。
【００４８】
点検回路および点灯回路の各々は、基板２３に予め設けられている。なお、点検回路および点灯回路の詳細については、後述する。
【００４９】
点検スイッチ３５は、外部電源の停電状態を疑似的に発生させ複数の蓄電池４の充電状態を点検するために、点検回路および点灯回路を動作させるように構成されている。点検スイッチ３５は、基板２３の実装面に実装されている。なお、点検スイッチ３５の詳細については、後述する。
【００５０】
操作部３６は、点検スイッチ３５を操作するように構成されている。操作部３６は、例えば、合成樹脂により形成された操作釦である。なお、操作部３６の詳細については、後述する。
【００５１】
ホルダ５８は、操作部３６を保持するように構成されている。ホルダ５８は、例えば、合成樹脂により形成されている。ホルダ５８は、基板２３の実装面に取り付けられている。なお、ホルダ５８の詳細については、後述する。
【００５２】
表示部３７は、複数の蓄電池４の充電状態を表示するように構成されている。表示部３７は、例えば、ＬＥＤである。表示部３７は、基板２３の実装面に実装されている。
【００５３】
受信部５９は、例えば、赤外線あるいは電波を媒体とするリモートコントローラ（以下、「リモコン」）から送信された点検信号を受信可能に構成されている。受信部５９は、基板２３の実装面に実装されている。
【００５４】
電源装置６は、例えば、２種類の点検機能を有するように構成されている。具体的に説明すると、点検スイッチ３５は、第１点検スイッチ６１と、第２点検スイッチ６２とを備えている。操作部３６は、第１操作部４１と、第２操作部４２とを備えている。上述の点検回路は、第１点検回路（図示せず）と、第２点検回路（図示せず）とを備えている。第１点検回路および第２点検回路の各々は、基板２３に予め設けられている。なお、点検機能とは、複数の蓄電池４の充電状態を点検する機能を意味する。
【００５５】
第１点検スイッチ６１は、第１点検回路を動作させるように構成されている。第２点検スイッチ６２は、第２点検回路を動作させるように構成されている。第１点検スイッチ６１の高さは、第２点検スイッチ６２の高さよりも高く設定されている（図４参照）。
【００５６】
第１操作部４１は、第１点検スイッチ６１を操作するように構成されている。第１操作部４１は、例えば、合成樹脂により形成された操作釦である。第２操作部４２は、第２点検スイッチ６２を操作するように構成されている。第２操作部４２は、例えば、合成樹脂により形成された操作釦である。
【００５７】
第１点検回路は、例えば、第１操作部４１により第１点検スイッチ６１が操作されている間だけ、外部電源の停電状態を疑似的に発生させ複数の蓄電池４の充電状態を点検するように構成されている。
【００５８】
第２点検回路は、例えば、第２操作部４２により第２点検スイッチ６２が操作された後に予め設定された所定時間（例えば、３０分）だけ、外部電源の停電状態を疑似的に発生させ複数の蓄電池４の充電状態を点検するように構成されている。また、第２点検回路は、例えば、受信部５９により点検信号が受信されたとき、外部電源の停電状態を疑似的に発生させ複数の蓄電池４の充電状態を点検するように構成されている。
【００５９】
点灯回路は、例えば、第１点検回路もしくは第２点検回路の点検結果に基づいて、表示部３７を点灯および消灯可能に構成されている。一例を挙げて説明すると、点灯回路は、複数の蓄電池４に充電された電圧が規定電圧以上のとき、表示部３７を点灯状態にする。また、点灯回路は、複数の蓄電池４に充電された電圧が規定電圧未満のとき、表示部３７を消灯状態にする。
【００６０】
ところで、第１点検スイッチ６１および第２点検スイッチ６２の各々は、基板２３の実装面に実装されている。また、第１点検スイッチ６１および第２点検スイッチ６２の各々は、基板２３の実装面において、器具本体１の中心軸Ａ１に沿った方向に並び、かつ、第１点検スイッチ６１および第２点検スイッチ６２の操作方向を合わせるように実装されている。第１点検スイッチ６１は、例えば、基板２３の実装面において、器具本体１の上端部側に実装されている。第２点検スイッチ６２は、例えば、基板２３の実装面において、器具本体１の下端部側に実装されている。つまり、第２点検スイッチ６２は、第１点検スイッチ６１および第２点検スイッチ６２を操作する側から見て手前側（図１では、下側）に配置されている。なお、非常用照明器具１０では、第２点検スイッチ６２が、第１点検スイッチ６１および第２点検スイッチ６２を操作する側から見て手前側に配置されているが、これに限らない。非常用照明器具１０では、第１点検スイッチ６１が、第１点検スイッチ６１および第２点検スイッチ６２を操作する側から見て手前側に配置されていてもよい。この場合、第２点検スイッチ６２の高さは、第１点検スイッチ６１の高さよりも高く設定される。
【００６１】
第１操作部４１および第２操作部４２の各々は、図１に示すように、第２点検スイッチ６２の周囲を囲むように構成され、かつ、器具本体１の中心軸Ａ１に沿って各別に変位するようにホルダ５８に保持されている。
【００６２】
第１操作部４１は、例えば、図５に示すように、第２点検スイッチ６２の周囲を囲む第１部材６３と、この第１操作部４１を器具本体１の中心軸Ａ１に沿って変位させる第２部材６４とを備えている。第１操作部４１は、例えば、合成樹脂により形成されている。
【００６３】
第１部材６３は、Ｃ字状に構成されている。第１部材６３は、２つの脚片６５ａ，６５ｂと、２つの脚片６５ａ，６５ｂそれぞれの一端部に連結された連結片６６とを備えている。
【００６４】
第２部材６４は、細長い棒状（例えば、丸棒状）に構成されている。第２部材６４は、第１部材６３と一体に形成されている。具体的に説明すると、第２部材６４の一端部は、２つの脚片６５ａ，６５ｂのうちの１つの脚片６５ａと連結されている。残りの１つの脚片６５ｂは、第１点検スイッチ６１を操作可能な位置に配置されている。
【００６５】
第２操作部４２は、例えば、第２点検スイッチ６２の周囲を囲む第３部材６７と、この第２操作部４２を器具本体１の中心軸Ａ１に沿って変位させる第４部材６８とを備えている。第２操作部４２は、例えば、合成樹脂により形成されている。
【００６６】
第３部材６７は、Ｃ字状に構成されている。第３部材６７は、２つの脚片６９ａ，６９ｂと、２つの脚片６９ａ，６９ｂそれぞれの一端部に連結された連結片７０とを備えている。
【００６７】
第４部材６８は、細長い棒状（例えば、丸棒状）に構成されている。第４部材６８は、第３部材６７と一体に形成されている。具体的に説明すると、第４部材６８の一端部は、２つの脚片６９ａ，６９ｂのうちの１つの脚片６９ａと連結されている。脚片６９ａは、第２点検スイッチ６２を操作可能な位置に配置されている。
【００６８】
ホルダ５８は、第１操作部４１および第２操作部４２の各々が器具本体１の中心軸Ａ１に沿って各別に変位するように第１操作部４１および第２操作部４２を保持する。
【００６９】
ホルダ５８には、図６に示すように、第１操作部４１が器具本体１の中心軸Ａ１に沿って変位するように形成された第１溝７１が設けられている。また、ホルダ５８には、第２操作部４２が器具本体１の中心軸Ａ１に沿って変位するように形成された第２溝７２が設けられている。
【００７０】
第１溝７１および第２溝７２の各々は、例えば、基板２３の実装面の法線方向に並んで形成されている。第２溝７２は、例えば、第１溝７１よりも基板２３側に配置されている。
【００７１】
第１溝７１には、第１操作部４１の第１部材６３の脚片６５ａを保持する第１保持部７３が設けられている。第２溝７２には、第２操作部４２の第３部材６７の脚片６９ａを保持する第２保持部７４が設けられている。
【００７２】
また、第１溝７１には、第１操作部４１が、基板２３の実装面の法線方向と器具本体１の中心軸Ａ１に沿った方向とが直交する方向（図６の紙面において前後方向）に変位するのを規制する第１規制部７５が設けられている。第２溝７２には、第２操作部４２が、基板２３の実装面の法線方向と器具本体１の中心軸Ａ１に沿った方向とが直交する方向に変位するのを規制する第２規制部７６が設けられている。これにより、非常用照明器具１０では、第１操作部４１および第２操作部４２の各々が、ホルダ５８から抜け落ちるのを、より抑制することが可能となる。
【００７３】
さらに、第１溝７１には、第１操作部４１の変位量を規制する第３規制部７７が設けられている。第２溝７２には、第２操作部４２の変位量を規制する第４規制部７８が設けられている。すなわち、ホルダ５８には、第１操作部４１および第２操作部４２の変位量を規制するストッパ７９が設けられている。
【００７４】
第１操作部４１および第２操作部４２の各々は、ホルダ５８と接触する部位がホルダ５８に向かって凸となる曲面に形成されている。具体的に説明すると、第１操作部４１の第１部材６３の連結片６６においてホルダ５８の第１溝７１と接触する部位８０（図５参照）は、ホルダ５８に向かって凸となる曲面に形成されている。第２操作部４２の第３部材６７の連結片７０においてホルダ５８の第２溝７２と接触する部位８１（図５参照）は、ホルダ５８に向かって凸となる曲面に形成されている。
【００７５】
電源装置６におけるボックス５０には、第１操作部４１および第２操作部４２を通す第１孔（図示せず）が設けられている。また、ボックス５０には、表示部３７から出射された光および受信部５９への点検信号を通す第２孔（図示せず）が設けられている。
【００７６】
端子台１２は、図１に示すように、器具本体１の上端部に配置されている。端子台１２は、上記一対の第２電源線を電気的および機械的に接続するように構成されている。また、端子台１２は、一対の第３電源線（図示せず）を電気的および機械的に接続するように構成されている。一対の第３電源線は、外部電源と電気的に接続されている。また、一対の第３電源線は、例えば、天井材９０の上面に予め配線されている。なお、器具本体１の上端部とは、器具本体１において、この器具本体１の中心軸Ａ１に沿った上側の端部を意味する。
【００７７】
ベース１３の下端部には、凹部２４が形成されている。凹部２４は、光源３を配置するように構成されている。凹部２４の上壁４９には、第３孔２５（図７参照）が形成されている。第３孔２５は、例えば、上記一対の第１電源線それぞれを通すように形成されている。
【００７８】
ベース１３には、第４孔２６が形成されている。第４孔２６は、非常用電源５をベース１３の下端部からベース１３の上端部へ通すように形成されている。すなわち、第４孔２６は、非常用電源５をベース１３から器具本体１内に収納するように形成されている。
【００７９】
また、ベース１３の凹部２４の上壁４９には、第５孔３８と、第６孔３９と、第７孔４０とが形成されている。第５孔３８は、第１操作部４１および第２操作部４２を通すように形成されている。第６孔３９は、表示部３７から出射された光が通過するように形成されている。第７孔４０は、リモコンから送信された点検信号を器具本体１内の受信部５９へ通すように形成されている。
【００８０】
ベース１３の外周壁における下側の部位には、側方へ向かって突出する鍔部２７が全周に亘って設けられている。鍔部２７の外周形状は、例えば、円形状である。なお、鍔部２７の外周形状は、円形状であるが、この形状を特に限定するものではない。
【００８１】
また、ベース１３は、ケース１１に着脱可能に構成されている。具体的に説明すると、ベース１３の外周壁には、第１引掛部２８が複数箇所（例えば、４箇所）に設けられている。
【００８２】
４つの第１引掛部２８は、ベース１３の外周壁に、このベース１３の周方向に沿って等間隔で配置されている。なお、図７では、４つの第１引掛部２８のうち２つの第１引掛部２８が見えている。また、図１および図２では、４つの第１引掛部２８のうち１つの第１引掛部２８が見えている。
【００８３】
ケース１１の周壁８における下側の部位には、４つの第８孔３０が形成されている。なお、図１および図２では、４つの第８孔３０のうち１つの第８孔３０が見えている。
【００８４】
４つの第８孔３０は、４つの第１引掛部２８をそれぞれ引掛けるように形成されている。これにより、非常用照明器具１０では、ベース１３をケース１１に取り付けることが可能となる。
【００８５】
また、非常用照明器具１０は、カバー１４と、複数（例えば、２つ）の固定部材７，７とを備えている。
【００８６】
カバー１４は、ベース１３の下端部を覆うように構成されている。カバー１４は、本体部３１と、第２引掛部４３（図７参照）とを備えている。カバー１４は、例えば、合成樹脂により形成されている。合成樹脂としては、例えば、ＰＣ（polycarbonate）などが挙げられる。
【００８７】
本体部３１は、例えば、円板状に形成されている。なお、本体部３１の外周形状は、円形状であるが、この形状を特に限定するものではない。
【００８８】
本体部３１には、第９孔３３が形成されている。第９孔３３は、光源３のレンズ１７の光出射面３４を露出させるように形成されている。
【００８９】
また、本体部３１には、第１０孔４４と、第１１孔４５とが形成されている。
【００９０】
第１０孔４４は、第１操作部４１の操作面（図２では、下面）と、第２操作部４２の操作面（図２では、下面）とが露出するように形成されている。
【００９１】
ところで、光源３の保持部材１８は、第１操作部４１の第２部材６４と、第２操作部４２の第４部材６８とを各別に通す挿通部材６０を備えている。非常用照明器具１０では、ホルダ５８において、第３規制部７７と第１保持部７３との間の第１距離が、第４規制部７８と第２保持部７４との間の第２距離よりも長く設定されている。これにより、非常用照明器具１０では、第１操作部４１の操作面と第２操作部４２の操作面とを突出させる量が異なる（図２参照）。よって、非常用照明器具１０では、第１操作部４１および第２操作部４２が間違って操作されるのを抑制することが可能となる。
【００９２】
第１１孔４５は、表示部３７から第６孔３９を通って出射された光が通過するように形成されている。また、第１１孔４５は、リモコンから送信された点検信号を器具本体１内の受信部５９へ通すように形成されている。
【００９３】
第２引掛部４３は、例えば、Ｃ字状に構成されている。第２引掛部４３は、２つの脚片５３，５３と、２つの脚片５３，５３それぞれの一端部に連結された連結片５４とを備えている。第２引掛部４３は、本体部３１の第１面（図７では、上面）に取り付けられている。
【００９４】
２つの脚片５３，５３それぞれの他端部には、自身をベース１３に引掛けるための引掛爪４６が設けられている。
【００９５】
ベース１３の第４孔２６の内周壁４７には、２つの第１突出部４８，４８（図７参照）が形成されている。なお、図７では、２つの第１突出部４８，４８のうち１つの第１突出部４８が見えている。また、図１では、２つの第１突出部４８，４８の図示を省略している。
【００９６】
２つの第１突出部４８，４８は、２つの引掛爪４６，４６をそれぞれ引掛けるように形成されている。これにより、非常用照明器具１０では、カバー１４をベース１３に取り付けることが可能となる。
【００９７】
２つの固定部材７，７の各々は、ベース１３に取り付けられるように構成されている。ベース１３の外周壁には、固定部材７を取り付ける取付部２９（図２参照）が設けられている。
【００９８】
また、２つの固定部材７，７の各々は、器具本体１を天井材９０に固定するように構成されている。具体的に説明すると、２つの固定部材７，７の各々は、ベース１３の鍔部２７とで天井材９０を挟持するように構成されている。
【００９９】
２つの固定部材７，７の各々は、例えば、第２板材により形成されている。第２板材は、例えば、不燃材料により構成されている。不燃材料としては、例えば、ＳＵＳ（ステンレス鋼）、アルミニウムなどが挙げられる。
【０１００】
また、２つの固定部材７，７の各々は、ばね性を有するように構成されている。すなわち、２つの固定部材７，７の各々は、板ばねである。
【０１０１】
電源装置６のボックス５０には、端子台１２を支持する支持部材（図示せず）と、第２接続部５２（図１参照）とが設けられている。
【０１０２】
支持部材は、例えば、合成樹脂により形成されている。支持部材は、ボックス５０と一体に形成されている。
【０１０３】
第２接続部５２は、第１接続部２２を着脱自在に接続するように構成されている。具体的に説明すると、第２接続部５２には、第１接続部２２を挿抜可能な開口部（図示せず）が設けられている。すなわち、第２接続部５２は、非常用電源５と電源装置６とを機械的に接続するように構成されている。第２接続部５２は、例えば、合成樹脂により形成されている。また、第２接続部５２は、ボックス５０と一体に形成されている。
【０１０４】
第２接続部５２は、一対の第２接続片（図示せず）を備えている。一対の第２接続片の各々は、例えば、金属により形成されている。一対の第２接続片の各々は、非常用電源５と基板２３とを電気的に接続するように構成されている。要するに、第２接続部５２は、非常用電源５と電源装置６とを電気的に接続するようにも構成されている。
【０１０５】
一対の第２接続片は、例えば、一対の第４電源線（図示せず）を介して、基板２３と電気的に接続されている。また、一対の第２接続片は、一対の第４電源線を介して、充電回路および放電回路の両方と電気的に接続されている。
【０１０６】
一対の第２接続片は、上述の一対の第１接続片を着脱自在に接続するように構成されている。なお、非常用照明器具１０では、一対の第２接続片が、一対の第１接続片を着脱自在に接続するように構成されているが、この構成に限らない。一対の第１接続片は、一対の第２接続片を着脱自在に接続するように構成されていてもよい。
【０１０７】
非常用照明器具１０は、非常時に光源３を点灯させる、いわゆる、専用形の非常用照明器具であるが、これに限らない。非常用照明器具１０は、例えば、通常時および非常時に光源３を点灯させる、いわゆる、併用形の非常用照明器具であってもよい。なお、通常時とは、非常時以外のときを意味する。
【０１０８】
複数の蓄電池４の電気的な接続関係は、直列接続であるが、この接続に限らない。複数の蓄電池４の電気的な接続関係は、例えば、並列接続であってもよい。また、複数の蓄電池４の電気的な接続関係は、例えば、直列接続と並列接続とを組み合わせた接続であってもよい。蓄電池４の数は、複数であるが、１つであってもよい。
【０１０９】
以上説明した非常用照明器具１０は、筒状に形成された器具本体１と、光源３と、蓄電池４と、蓄電池４を充電および放電可能な電源装置６とを備えている。電源装置６は、外部電源の停電時に、蓄電池４を電源として光源３を点灯させるように構成されている。電源装置６は、充電回路および放電回路を構成する複数の電子部品が実装された基板２３と、前記外部電源の停電状態を疑似的に発生させ蓄電池４の充電状態を点検する点検スイッチ３５と、点検スイッチ３５を操作する操作部３６とを備えている。基板２３は、器具本体１内において、基板２３の実装面の法線が器具本体１の中心軸Ａ１と交差するように配置されている。点検スイッチ３５は、第１点検スイッチ６１と、第２点検スイッチ６２とを備えている。第１点検スイッチ６１および第２点検スイッチ６２の各々は、基板２３の実装面において、器具本体１の中心軸Ａ１に沿った方向に並び、かつ、第１点検スイッチ６１および第２点検スイッチ６２の操作方向を合わせるように実装されている。操作部３６は、第１点検スイッチ６１を操作する第１操作部４１と、第２点検スイッチ６２を操作する第２操作部４２とを備えている。第１操作部４１および第２操作部４２の各々は、第１点検スイッチ６１および第２点検スイッチ６２を操作する側から見て手前側に配置された第１点検スイッチ６１もしくは第２点検スイッチ６２の周囲を囲むように構成され、かつ、器具本体１の中心軸Ａ１に沿って各別に変位するように構成されている。これにより、非常用照明器具１０では、点検機能を追加するとき、基板２３の平面サイズが大きくなるのを抑制することが可能となる。よって、非常用照明器具１０では、従来例の非常用照明器具に比べて、点検機能を追加するとき、器具本体１が大型化するのを抑制することが可能となる。すなわち、非常用照明器具１０では、点検機能を追加しながらも、器具本体１の大型化を抑制することが可能となる。
【０１１０】
基板２３の実装面には、上述の様に、ホルダ５８が実装されていることが好ましい。ホルダ５８は、上述の様に、第１操作部４１および第２操作部４２の各々が器具本体１の中心軸Ａ１に沿って各別に変位するように第１操作部４１および第２操作部４２を保持することが好ましい。これにより、非常用照明器具１０では、第１操作部４１および第２操作部４２の各々が、ホルダ５８から抜け落ちるのを抑制することが可能となる。
【０１１１】
ホルダ５８には、上述の様に、第１操作部４１および第２操作部４２の変位量を規制するストッパ７９が設けられていることが好ましい。これにより、非常用照明器具１０では、第１点検スイッチ６１および第２点検スイッチ６２に過度なストレスが加わるのを抑制することが可能となる。よって、非常用照明器具１０では、例えば、第１点検スイッチ６１および第２点検スイッチ６２と基板２３との電気的な接続部材（例えば、はんだ）にクラックが発生するのを抑制することが可能となる。
【０１１２】
第１操作部４１および第２操作部４２の各々は、上述の様に、ホルダ５８と接触する部位が、ホルダ５８に向かって凸となる曲面に形成されていることが好ましい。これにより、非常用照明器具１０では、操作部３６とホルダ５８との摩擦を低減することが可能となる。
【符号の説明】
【０１１３】
１  器具本体
３  光源
４  蓄電池
６  電源装置
１０  非常用照明器具
２３  基板
３５  点検スイッチ
３６  操作部
４１  第１操作部
４２  第２操作部
５８  ホルダ
６１  第１点検スイッチ
６２  第２点検スイッチ
７９  ストッパ
【図１】
0006406600.tif 000002
【図２】
0006406600.tif 000003
【図３】
0006406600.tif 000004
【図４】
0006406600.tif 000005
【図５】
0006406600.tif 000006
【図６】
0006406600.tif 000007
【図７】
0006406600.tif 000008